(57)【要約】少なくとも一つの移動可能なフレーム部分を有する調節可能な基礎部（８）に支持されるマットレス（４）と共に使用するマットレスカバー組立体（１）は、マットレスが少なくとも部分的に中に配置可能なカバーを含む。このカバー（１）は、マットレスの前方（６４）に一致する頭部分（５６）、及びマットレスの足方（６８）に一致する足部分（６０）を有する。マットレスカバー組立体はまた、カバー（１）の頭部分（５６）及び足部分（６０）の一方に位置するポケット（９２，１００）を含む。調節可能な基礎部の第１可動フレーム部分は、カバーの頭部分（５６）及び足部分（６０）の一方を第１可動フレーム部分に固定するポケットに少なくとも部分的に受け入れ可能である。
2015532849.tif 000002
【特許請求の範囲】
【請求項１】
調節可能な基礎部（８）に支持されるマットレス（４）と共に使用するマットレスカバー組立体（１）であって、調節可能な基礎部は少なくとも一つの移動可能なフレーム（１１２，１０８）部分を含み、マットレスカバー組立体（１）は、
マットレス（４）が中で少なくとも部分的に位置決め可能なカバーであり、マットレスの頭部（６４）と一致する頭部分（５６）及びマットレスの足部（６８）と一致する足部分（６０）を含むカバー（１２）と、
カバーの頭部分及び足部分の一方に位置するポケットで、移動可能なフレーム部分がカバーの頭部分（５６）及び足部分（６０）の一方を移動可能なフレーム部分に固定するため少なくとも部分的に受け入れ可能であるポケットと、
を備えた、
マットレスカバー組立体。
【請求項２】
移動可能なフレーム部分は、第１の移動可能なフレーム部分（１０８）であり、ポケットは、カバーの頭部分（５６）に位置する第１ポケット（９２）であり、
マットレスカバー組立体は、さらに、カバーの足部分（６０）に位置する第２ポケット（１００）を備え、ここで調節可能な基礎部の第２の移動可能なフレーム部分（１１２）は、カバー（１２）の足部分（６０）を第２の移動可能なフレーム部分（１１２）に固定するための第２ポケット（１００）に少なくとも部分的に受け入れ可能である、請求項１に記載のマットレスカバー組立体。
【請求項３】
第１ポケット（９２）は、カバー（１２）の足部分（６０）に面する開口（９６）を形成し、ここで第１の移動可能なフレーム部分（１０８）は、上記開口に挿入可能である、請求項２に記載のマットレスカバー組立体。
【請求項４】
第１ポケット（９２）によって形成された開口（９６）は第１開口（９６）であり、ここで第２ポケット（１００）は、カバー（１２）の頭部分（５６）に面する第２開口（１０４）を形成し、ここで第２の移動可能なフレーム部分（１１２）は、第２開口（１０４）へ挿入可能である、請求項２又は３に記載のマットレスカバー組立体。
【請求項５】
第２ポケット（１００）は、カバー（１２）の頭部分（５６）に面する開口（１０４）を形成し、ここで第２の移動可能なフレーム部分（１１２）は、上記開口（１０４）へ挿入可能である、請求項２に記載のマットレスカバー組立体。
【請求項６】
第１及び第２の移動可能なフレーム部分（１１２，１０８）の一つに対応する部分の挿入を容易にするため、第１及び第２のポケット（９２，１００）の一つに連結され第１及び第２のポケットの一つを選択的に開く閉包機構（１１６）をさらに備える、請求項１から５のいずれか一つに記載のマットレスカバー組立体。
【請求項７】
閉包機構は、第１及び第２のポケット（９２，１００）の一つに第１及び第２の移動可能なフレーム部分（１１２，１０８）の一つを緩く保持する開構成と、第１及び第２のポケットの一つに第１及び第２の移動可能なフレーム部分の一つをしっかり保持する閉構成との間で操作可能である、請求項６に記載のマットレスカバー組立体。
【請求項８】
閉包機構は、第１ポケットに連結する、請求項６又は７に記載のマットレスカバー組立体。
【請求項９】
閉包機構（１１６）は、ジッパーである、請求項６から９のいずれか一つに記載のマットレスカバー組立体。
【請求項１０】
頭部分（５６）と足部分（６０）との間の位置でカバー（１２）に連結されたストラップ（１２０）をさらに備え、ここでストラップは、移動可能なフレーム部分にカバーを固定するため、移動可能なフレーム部分の周りに延在可能である、請求項１から９のいずれか一つに記載のマットレスカバー組立体。
【請求項１１】
カバーは、カバー（１２）の頭部分（５６）と足部分（６０）とを相互に接続する対向した第１及び第２の側面を含み、ここでストラップ（１２０）は、第１側面（８０）に近接する位置でカバーに取り付けられる第１セグメント（１２４）、及び第２側面（８４）に近接する位置でカバーに取り付けられる第２セグメント（１２８）を含む、請求項１０に記載のマットレスカバー組立体。
【請求項１２】
ストラップは、第１及び第２のセグメント（１２４，１２８）を相互に接続する閉包機構（１４０）をさらに含み、ここで第１及び第２のセグメントは、第１及び第２のセグメントが閉包機構（１４０）によって相互に接続されたとき互いに重なるそれぞれの遠位端（１３２，１３６）を含む、請求項１１に記載のマットレスカバー組立体。
【請求項１３】
閉包機構（１４０）は、面ファスナ材料を含む、請求項１２に記載のマットレスカバー組立体。
【請求項１４】
カバーは、カバーの頭部分（５６）及び足部分（６０）の一つに近接しマットレス（４）が挿入可能である開口（７２）を含む、請求項１から１３のいずれか一つに記載のマットレスカバー組立体。
【請求項１５】
カバーは、カバーの頭部分（５６）及び足部分（６０）の一つに連結され開口（７２）を閉じる閉包機構（７６）を含む、請求項１４に記載のマットレスカバー組立体。
【請求項１６】
開口（７２）は、カバーの頭部分（５６）に近接する、請求項１４又は１５に記載のマットレスカバー組立体。
【請求項１７】
カバーに取り付けられアイテムを保管するための第３ポケット（８９）をさらに備える、請求項１から１６のいずれか一つに記載のマットレスカバー組立体。
【請求項１８】
カバーは、カバーの頭部分と足部分とを相互に接続する対向した第１及び第２の側面を含み、ここで第３ポケットは、第１及び第２の側面（８０，８４）の一つに取り付けられている、請求項１７に記載のマットレスカバー組立体。
【請求項１９】
調節可能な基礎部にマットレスを組み立てる方法であって、調節可能な基礎部は少なくとも一つの移動可能なフレーム部分（１１２，１０８）を含み、上記方法は、
マットレス（４）の頭部（６４）に一致する頭部分（５６）、及びマットレスの足部（６８）に一致する足部分（６０）を含むカバー（１２）を設けること；
カバー（１２）内に少なくとも部分的にマットレスを封入すること；及び、
カバー（１２）の頭部分（５６）及び足部分（６０）の一つを移動可能なフレーム部分に固定するため、カバーの頭部分及び足部分の一つに位置するポケット（９２，１００）に移動可能なフレーム部分（１０８，１１２）を挿入すること、
を備える方法。
【請求項２０】
ポケットは第１ポケット（９２）であり、移動可能なフレーム部分は第１の移動可能なフレーム部分（１０８）であり、ここで第１ポケット（９２）は、カバー（１２）の頭部分（５６）に位置し、上記方法は、さらに、カバーの足部分（６４）を第２の移動可能なフレーム部分（１１２）へ固定するため、カバー（１２）の足部分（６４）に位置する第２ポケット（１００）に第２の移動可能なフレーム部分（１１２）を挿入することをさらに備える、請求項１９に記載の方法。
【請求項２１】
さらに、第１ポケット（９２）に閉包機構を設けること；及び、
第１ポケットへの第１の移動可能なフレーム部分（１０８）の挿入の前に閉包機構（１１６）によって第１ポケットを開くこと、
を備える、請求項２０に記載の方法。
【請求項２２】
さらに、第１の移動可能なフレーム部分（１０８）へカバー（１２）の頭部分（５６）を固定するため、第１ポケットへ第１の移動可能なフレーム部分（１０８）を挿入した後に閉包機構によって第１ポケット（９２）を閉じることを備える、請求項２１に記載の方法。
【請求項２３】
第１ポケットへの第１の移動可能なフレーム部分の挿入前に、第２ポケットへの第２の移動可能なフレーム部分の挿入を行う、請求項１９から２２のいずれか一つに記載の方法。
【請求項２４】
さらに、頭部分と足部分との間の位置でカバーに連結するストラップ（１２０）を設けること；及び、
移動可能なフレーム部分にカバーを固定するために移動可能なフレーム部分の周りにストラップ（１２０）を延在すること、を備える、請求項１９から２３のいずれか一つに記載の方法。
【発明の詳細な説明】
【技術分野】
【０００１】
本発明はマットレスカバーに関し、より詳しくは調節可能なマットレス基礎部と共に使用するためのマットレスカバーに関する。
【背景技術】
【０００２】
マットレスカバーは、マットレス基礎部に支持されたマットレスを囲むために典型的に利用される。基礎部に支持されたマットレスの形状をユーザーの快適さに応じて変更するため、基礎部が調節可能なものもある。このような基礎部は、ユーザーの頭及び肩と一体となるマットレスの一部分、及び／又はユーザーの脚及び足と一体となるマットレスの一部分を傾けるために典型的に操作可能である。効果の程度を変更するために、マットレスは、適切に位置決めされたブラケット、頭板及び足板のセット、バンパー、等を用いて調節可能なマットレス基礎部（例えば、傾斜した形態と平坦な形態との間で基礎部が操作されるように）の適所に保持することができる。しかしながら、この機能を実行する従来の装置は、しばしば、基礎部の場所に種々のタイプのマットレスを不適切に保持し、重要な構造及びハードウエアを必要とし、美観に欠け、他の多くの欠点を有する。
【発明の概要】
【０００３】
本発明は、一つの態様において、少なくとも一つの移動可能なフレーム部分を有する調節可能な基礎部に支持されたマットレスと共に使用するためのマットレスカバー組立体を提供する。このマットレスカバー組立体は、マットレスを少なくとも部分的に位置決め可能なカバーを含む。このカバーは、マットレスの頭方に一致する頭部分、及びマットレスの足方に一致する足部分を有する。またマットレスカバー組立体は、カバーの頭部分及び足部分の一つに位置するポケットを含む。移動可能なフレーム部分は、カバーの頭部分及び足部分の一つを移動可能なフレーム部分に固定（securing）するため、ポケットに受け入れ可能である。
【０００４】
本発明は、別の態様において、少なくとも一つの移動可能なフレーム部分を有する調節可能な基礎部にマットレスを組み立てる方法を提供する。この方法は、マットレスの頭方に一致する頭部分、及びマットレスの足方に一致する足部分を有するカバーを提供し、及び少なくとも部分的にマットレスをカバー内に取り囲むことを含む。この方法はさらに、カバーの頭部分及び足部分の一つを移動可能なフレーム部分に固定するため、カバーの頭部分及び足部分の一つに位置する第１ポケット内へ移動可能なフレーム部分を挿入することを含む。
【図面の簡単な説明】
【０００５】
【図１】傾斜したあるいは起こされた形態において調節可能なマットレス基礎部に支持されたマットレスを囲む、発明のマットレスカバー組立体の側面図である。
【図２】マットレスが部分的に挿入されている、図１のマットレスカバー組立体の底部の斜視図である。
【図３】マットレスを取り囲み、調節可能なマットレス基礎部に固定されたマットレスカバー組立体を図示する、図１のマットレスカバー組立体の底部の斜視図である。
【発明を実施するための形態】
【０００６】
発明の他の特徴及び態様は、以下の詳述な記述及び添付図面の考察によって明白になるだろう。
発明の実施形態を詳細に説明する前に、この発明は、その応用において以下の記述あるいは添付図面の図示に述べられた構成の詳細な構造及び配置に限定されないことを理解すべきである。この発明は、他の実施形態で可能であり、及び、種々の方法において実施され、あるいは実行可能である。また、ここで使用される語法及び用語は、説明のためのものであり、限定するものとして見なされるべきでないと理解すべきである。
【０００７】
図１及び図２は、調節可能なマットレス基礎部８（図１）に支持されたマットレス４と共に使用するためのマットレスカバー組立体１を図示する。マットレスカバー組立体１は、マットレス４が位置決めされあるいは囲まれるカバー１２を含む。図示された組立体１の構造において、カバー１２は、メインパネル１６及び底パネル２０（図２）の両方を含み、マットレス４の底面２４と調節可能なマットレス基礎部８の上面との間に位置決めされる。図示した、マットレスカバー組立体１の構造では、メインパネル１６は、マットレス４の底面２４の周りを包むことに加えて、マットレス４の上面２８及び側面３２の両方を覆う。特に、メインパネル１６は、カバー１２の底パネル２０に近接して位置する裏側（inboard）部分４０を有する。裏側部分４０は、マットレス４の４つの角部４８に一致してスティッチング４４を有し、追加のスティッチング５２によって底パネル２０に取り付けられる。その結果、マットレス４は、カバー１２内に完全に囲まれてもよい。あるいはまた、カバー１２の底パネル２０は、マットレス４の底面２４が調節可能なマットレス基礎部８と直接接触してもよいように省略してもよい。このような代替案では、マットレス４は、カバー１２内に単に部分的に囲まれる。さらに別の案では、底パネル２０は、ジッパー、面ファスナ材料、スナップ、等を介してメインパネル１６から取り外し可能であってもよい。さらにカバー１２の別の構造では、メインパネル１６は、スティッチング、一もしくは複数のジッパー、面ファスナ材料、スナップ、等によって互いに取り付けられる２以上のサブパネルに分割されてもよい。
【０００８】
続けて図２を参照して、カバー１２は、また、マットレス４の頭部６４及び足部６８と一致する頭部分及び足部分５６、６０をそれぞれ含む。頭部分５６は、カバー１２のメインパネル１６の上部７１に関連する折り目７０に沿って折り曲げ可能（foldable）である、フラップのように構成される。そのため、頭部分５６は、メインパネル１６の上部７１と実質的に同一平面（図２）である平坦なつまり折り曲げられていない配向と、メインパネル１６の上部７１を実質的に横切る（図３）折り曲げられた配向との間で移動可能である。カバー１２はさらに、カバー１２の頭部分５６に近接して位置しマットレス４が通り移動可能な開口７２を有する。開口７２は、カバー１２からマットレス４の挿入あるいは取り出しを行うための開いた構成（頭部分５６の折り曲げられていない配向と一致する；図２）と、カバー１２内にマットレス４を封入するための閉じた構成（頭部分５６の折り曲げられた配向と一致する；図３）との間で相互に構成可能（reconfigurable）である。カバー１２は、Ｕ字形を有しカバー１２の頭部分５６に連結されカバー１２における開口７２を選択的に閉じるための（図２及び図３）閉包機構（例えば逆にされた（reversed）６ｍｍのジッパー）を含む。あるいはまた、閉包機構７６はいずれの形状でもよく、これらに限定されないがボタン、スナップ、及び面ファスナ材料を含むいずれの機構であってもよい。カバー１２の頭部分５６が折り曲げられた配向にあるとき、閉包機構７６（したがって開口７２）は閉じられてもよい。カバー１２はまた、対向する第１及び第２の側面８０、８４を含み、これらはカバー１２の頭部分及び足部分５６、６０を相互に連結する（図２）。図１から図３を参照して、各側面８０、８４は、アイテム（例えば調節可能な基礎部を操作するためのリモートコントロール等）の保管用でそれらに取り付けられたポケット８８を有する。あるいはまた、カバー１２の一方の側面８０、８４のみがポケット８８を含んでもよい。
【０００９】
図２を参照して、マットレスカバー組立体１は、カバー１２の頭部分５６に取り付けられカバー１２の足部分６０に面する開口９６を形成する第１ポケット９２を含む。図示したマットレスカバー組立体１は、また、カバー１２の足部分６０に取り付けられカバー１２の頭部分５６に面する開口１０４を形成する第２ポケット１００を含む。いくつかの実施形態ではポケット９２、１００のうちの一つのみが設けられるが、第１及び第２のポケット９２、１００は、調節可能なマットレス基礎部８の、対応する、移動可能なフレーム部分１０８、１１２を受け入れ、カバー１２を結果として封入されたマットレス４を、移動可能なフレーム部分１０８、１１２にしっかり留める(secure)（図１及び図３）。
【００１０】
図示した実施形態を続けて参照して、調節可能なマットレス基礎部８は、マットレス４の頭部６４及び足部６８とそれぞれ一致する第１及び第２の移動可能なフレーム部分１０８、１１２を含む。図示する第１及び第２の移動可能なフレーム部分１０８、１１２は、傾斜したあるいは起こされた方向においてマットレス４を支持するための傾斜したあるいは起こされた構成（図１）と、平坦な方向においてマットレス４をその上に支持するための平坦な構成（図３）との間で相互に構成可能である。また、調節可能なマットレス基礎部８は、ユーザーの好み及び快適さに応じて、起こされた構成と平坦な構成との間で、部分的に傾斜したつまり起こされた多くの構成のいずれにも調節可能であると理解すべきである。
【００１１】
図１及び図３を参照して、第１及び第２の移動可能なフレーム部分１０８、１１２は、第１及び第２のポケット９２、１００のそれぞれの開口９６、１０４に第１及び第２の移動可能なフレーム部分１０８、１１２を挿入することにより、第１及び第２のポケット９２、１００に、少なくとも部分的にそれぞれ受け入れられる。これにより、カバー１２の頭部分５６に近接して位置する第１ポケット９２は、カバー１２の頭部分５６を第１の移動可能なフレーム部分１０８に固定し、一方、第２のポケット１００は、カバー１２の足部分６０を第２の移動可能なフレーム部分１１２に固定する。第１ポケット９２は、第１ポケット９２内への第１の移動可能なフレーム部分１０８の挿入を容易にするため、第１ポケット９２を選択的に開く閉包機構１１６（例えば逆にされた６ｍｍのジッパー）を含む。閉包機構１１６は、第１の移動可能なフレーム部分１０８が第１ポケット９２に緩く保持されるかもしれない開いた構成（図２）と、第１の移動可能なフレーム部分１０８が第１ポケット９２にしっかりと（tightly）保持される閉じた構成（図３）との間で操作される。代替の構造では、第２ポケット１００もまた、第２ポケット１００内への第２の移動可能なフレーム部分１１２の挿入を容易にするため、第２ポケット１００を選択的に開く閉包機構（例えばジッパー）を含んでもよい。このような代替案では、閉包機構は、第２の移動可能なフレーム部分１１２が第２ポケット１００に緩く保持されてもよい開いた構成と、第２の移動可能なフレーム部分１１２が第２ポケット１００にしっかりと保持されてもよい閉じた構成との間で操作されてもよい。
【００１２】
図２及び図３を参照して、マットレスカバー組立体１は、第１の移動可能なフレーム部分１０８にカバー１２を固定するために、調節可能なマットレス基礎部８の第１の移動可能なフレーム部分１０８の周りに延在するストラップ１２０をさらに含む。ストラップ１２０は、互いに縫われた繊維材料の２つの層を含み、カバー１２の頭部分及び足部分５６、６０の間の位置でカバー１２に連結される。ストラップ１２０は、カバー１２の、スティッチング５２にそれぞれ一致する側面８０、８４に近接する位置で、カバー１２に取り付けられる第１及び第２のセグメント１２４、１２８を含む。第１及び第２のセグメント１２４、１２８は、それぞれ遠位端１３２、１３６を有し、閉包機構１４０（例えば面ファスナ；図２）によって選択的に相互に接続される。よって、セグメント１２４、１２８が閉包機構１４０によって相互に接続されるとき、セグメント１２４、１２８のそれぞれの遠位端１３２、１３６は互いに重なる。あるいはまた、第１及び第２のセグメント１２４、１２８は、別の閉包機構（例えばジッパー、ラッチ、バックル等）によって相互に接続されてもよい。
【００１３】
マットレスカバー組立体１、マットレス４、及び調節可能なマットレス基礎部８を組み立てる際、マットレス４は、最初に、カバー１２内にマットレス４が十分に受け入れられるまで、開口７２を通してカバー１２に挿入される（図２）。そして開口７２は、カバー１２内にマットレス４を完全に封入するためにジッパー７６を使用することによって閉じられる（図３）。換言すると、マットレス４がカバー１２内に完全に封入されあるいは位置決めされたとき、カバー１２の頭部分５６は、その折り曲げられた配向にある。そして第２の移動可能なフレーム部分１１２は、カバー１２の足部分６０を第２の移動可能なフレーム部分１１２に固定するために、第２ポケット１００へ挿入される。第２ポケット１００は、第２の移動可能なフレーム部分１１２にしっかりとした取り付けを提供し、その結果、第２の移動可能なフレーム部分１１２がユーザーによって起こされあるいは傾斜されたとき（図１）、第２ポケット１００は、第２の移動可能なフレーム部分１１２に対してマットレス４の足部６８が滑るあるいは移動するのを実質的に防止する。したがって、マットレス４の足部６８は、傾斜したあるいは起こされた方向と、降ろされたあるいは平坦な方向との間でフレーム部分１１２が移り変わるとき、第２の移動可能なフレーム部分１１２にぴったりと保持される。
【００１４】
図２を参照して、ジッパー１１６が開かれそれにより第１ポケット９２の開口９６を広げた状態で、第１の移動可能なフレーム部分１０８が第１ポケット９２へ挿入される。このとき、第１の移動可能なフレーム部分１０８は、第１ポケット９２に緩く保持される。その後、第１ポケット９２の開口９６のサイズを減じるためジッパー１１６が閉じられ、それにより、第１の移動可能なフレーム部分１０８をカバー１２の頭部分５６にしっかりと固定される。第２ポケット１００のように、第１ポケット９２は、第１の移動可能なフレーム部分１０８にしっかりとした取り付けを提供し、その結果、第１の移動可能なフレーム部分１０８がユーザーによって起こされあるいは傾斜されたとき、第１ポケット９２は、第１の移動可能なフレーム部分１０８に対してマットレス４の頭部６４が滑るあるいは移動するのを実質的に妨げる。したがって、マットレス４の頭部６４は、傾斜したあるいは起こされた方向と、降ろされたあるいは平坦な方向との間でフレーム部分１０８が移り変わるとき、第１の移動可能なフレーム部分１０８にぴったりと保持される。
【００１５】
最後に、ストラップ１２０のセグメント１２４、１２８が第１の移動可能なフレーム部分１０８の周りに延在しあるいは巻かれ、第１の移動可能なフレーム部分１０８にカバー１２をさらに固定するために面ファスナ１４０を介して相互に接続される（図１及び図３）。ストラップ１２０は、第１及び第２の移動可能なフレーム部分１０８、１１２のどちらかあるいは両方が傾斜したあるいは起こされた方向と、降ろされたあるいは平坦な方向との間で移り変わるときに、マットレス４が滑るのを防止する。
【００１６】
したがって、ポケット９２、１００、及びストラップ１２０は、基礎部８が傾斜したあるいは起こされた方向と、降ろされたあるいは平坦な方向との間で移り変わるとき、調節可能なマットレス基礎部８に対するマットレス４の滑動あるいは移動を実質的に禁じるように連動して働く。これに対して、従来の調節可能な基礎部は、マットレスにくっついている、及び／又は、マットレスを適所に保つ、あるいは、調節可能なマットレス基礎部と提携する、頭板及び／又はバンパーのような装置を必要とする。そのため、この発明のマットレスカバー組立体１は、頭板、バンパー、及び調節可能なマットレス基礎部にマットレスを固定すること、を不要にする。
【００１７】
この発明の態様はまた、以下のように記述することができる。これは、請求範囲の記載と類似するが単に例証となる態様であり、完全性のため文字により参照されている。この発明の範囲は、勿論、以下の記述における符番された請求項により規定される。
Ａ）  調節可能な基礎部に支持されるマットレスと共に使用するマットレスカバー組立体であって、調節可能な基礎部は少なくとも一つの移動可能なフレーム部分を含み、マットレスカバー組立体は、
マットレスが中で少なくとも部分的に位置決め可能なカバーであり、マットレスの頭部と一致する頭部分及びマットレスの足部と一致する足部分を含むカバーと、
カバーの頭部分及び足部分の一方に位置するポケットで、カバーの頭部分及び足部分の一方を移動可能なフレーム部分に固定するためのポケットに、移動可能なフレーム部分が少なくとも部分的に受け入れ可能であるポケットと、
を備えている。
Ｂ）  態様Ａのマットレスカバー組立体であって、ここで移動可能なフレーム部分は、第１の移動可能なフレーム部分であり、ポケットは、カバーの頭部分に位置する第１ポケットであり、マットレスカバー組立体は、さらに、カバーの足部分に位置する第２ポケットを備え、ここで調節可能な基礎部の第２の移動可能なフレーム部分は、カバーの足部分を第２の移動可能なフレーム部分に固定するための第２ポケットに少なくとも部分的に受け入れ可能である。
Ｃ）  態様Ｂのマットレスカバー組立体であって、ここで第１ポケットは、カバーの足部分に面する開口を形成し、ここで第１の移動可能なフレーム部分は、上記開口に挿入可能である。
Ｄ）  態様Ｃのマットレスカバー組立体であって、ここで第１ポケットによって形成された開口は第１開口であり、ここで第２ポケットは、カバーの頭部分に面する第２開口を形成し、ここで第２の移動可能なフレーム部分は、第２開口へ挿入可能である。
Ｅ）  態様Ｂのマットレスカバー組立体であって、ここで第２ポケットは、カバーの頭部分に面する開口を形成し、ここで第２の移動可能なフレーム部分は、上記開口へ挿入可能である。
Ｆ）  態様Ｂのマットレスカバー組立体であって、第１及び第２の移動可能なフレーム部分の一つに対応する部分の挿入を容易にするため、第１及び第２のポケットの一つに連結され第１及び第２のポケットの一つを選択的に開く閉包機構をさらに備える。
Ｇ）  態様Ｆのマットレスカバー組立体であって、ここで閉包機構は、第１及び第２のポケットの一つに第１及び第２の移動可能なフレーム部分の一つを緩く保持する開構成と、第１及び第２のポケットの一つに第１及び第２の移動可能なフレーム部分の一つをしっかり保持する閉構成との間で操作可能である。
Ｈ）  態様Ｆのマットレスカバー組立体であって、ここで閉包機構は、第１ポケットに連結する。
Ｉ）  態様Ｆのマットレスカバー組立体であって、ここで閉包機構は、ジッパーである。
Ｊ）  態様Ａのマットレスカバー組立体であって、頭部分と足部分との間の位置でカバーに連結されたストラップをさらに備え、ここでストラップは、移動可能なフレーム部分にカバーを固定するため、移動可能なフレーム部分の周りに延在可能である。
Ｋ）  態様Ｊのマットレスカバー組立体であって、ここでカバーは、カバーの頭部分と足部分とを相互に接続する対向した第１及び第２の側面を含み、ここでストラップは、第１側面に近接する位置でカバーに取り付けられる第１セグメント、及び第２側面に近接する位置でカバーに取り付けられる第２セグメントを含む。
Ｌ）  態様Ｋのマットレスカバー組立体であって、ここでストラップは、第１及び第２のセグメントを相互に接続する閉包機構をさらに含み、ここで第１及び第２のセグメントは、第１及び第２のセグメントが閉包機構によって相互に接続されたとき互いに重なるそれぞれの遠位端を含む。
Ｍ）  態様Ｌのマットレスカバー組立体であって、ここで閉包機構は、面ファスナ材料を含む。
Ｎ）  態様Ａのマットレスカバー組立体であって、ここでカバーは、カバーの頭部分及び足部分の一つに近接しマットレスが挿入可能である開口を含む。
Ｏ）  態様Ｎのマットレスカバー組立体であって、ここでカバーは、カバーの頭部分及び足部分の一つに連結され開口を閉じる閉包機構を含む。
Ｐ）  態様Ｎのマットレスカバー組立体であって、ここで開口は、カバーの頭部分に近接する。
Ｑ）  態様Ｂのマットレスカバー組立体であって、カバーに取り付けられアイテムを保管するための第３ポケットをさらに備える。
Ｒ）  態様Ｑのマットレスカバー組立体であって、ここでカバーは、カバーの頭部分と足部分とを相互に接続する対向した第１及び第２の側面を含み、ここで第３ポケットは、第１及び第２の側面の一つに取り付けられている。
Ｓ）  調節可能な基礎部にマットレスを組み立てる方法であって、調節可能な基礎部は少なくとも一つの移動可能なフレーム部分を含み、上記方法は、
マットレスの頭部に一致する頭部分、及びマットレスの足部に一致する足部分を含むカバーを設けること；
カバー内に少なくとも部分的にマットレスを封入すること；及び、
カバーの頭部分及び足部分の一つを移動可能なフレーム部分に固定するため、カバーの頭部分及び足部分の一つに位置するポケットに移動可能なフレーム部分を挿入すること、
を備える。
Ｔ）  態様Ｓの方法であって、ここでポケットは第１ポケットであり、移動可能なフレーム部分は第１の移動可能なフレーム部分であり、ここで第１ポケットは、カバーの頭部分に位置し、上記方法は、さらに、カバーの足部分を第２の移動可能なフレーム部分へ固定するため、カバーの足部分に位置する第２ポケットに第２の移動可能なフレーム部分を挿入することをさらに備える。
Ｕ）  態様Ｔの方法であって、さらに、
第１ポケットに閉包機構を設けること；及び、
第１ポケットへの第１の移動可能なフレーム部分の挿入の前に閉包機構によって第１ポケットを開くこと、
を備える。
Ｖ）  態様Ｕの方法であって、さらに、
第１の移動可能なフレーム部分へカバーの頭部分を固定するため、第１ポケットへ第１の移動可能なフレーム部分を挿入した後に閉包機構によって第１ポケットを閉じることを備える。
Ｗ）  態様Ｖの方法であって、ここで、第１ポケットへの第１の移動可能なフレーム部分の挿入前に、第２ポケットへの第２の移動可能なフレーム部分の挿入を行う。
Ｘ）  態様Ｓの方法であって、さらに、
頭部分と足部分との間の位置でカバーに連結するストラップを設けること；及び、
移動可能なフレーム部分にカバーを固定するために移動可能なフレーム部分の周りにストラップを延在すること、を備える。
【００１８】
この発明の種々の特徴は、以下の特許請求の範囲に記述される。
【図１】
2015532849.tif 000003
【図２】
2015532849.tif 000004
【図３】
2015532849.tif 000005
【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
調節可能な基礎部（８）に支持されるマットレス（４）と共に使用するマットレスカバー組立体（１）であって、調節可能な基礎部は第１及び第２の移動可能なフレーム（１１２，１０８）部分を含み、マットレスカバー組立体（１）は、
マットレス（４）が中で少なくとも部分的に位置決め可能なカバーであり、マットレスの頭部（６４）と一致する頭部分（５６）及びマットレスの足部（６８）と一致する足部分（６０）を含むカバー（１２）と、
カバーの頭部分（５６）に位置する第１ポケットで、第１の移動可能なフレーム部分（１０８）がカバーの頭部分（５６）を第１の移動可能なフレーム部分に固定するため少なくとも部分的に受け入れ可能である第１ポケット（９２）と、
を備え、
マットレスカバー組立体は、さらに、カバーの足部分（６０）に位置する第２ポケット（１００）を備え、ここで調節可能な基礎部の第２の移動可能なフレーム部分（１１２）は、カバー（１２）の足部分（６０）を第２の移動可能なフレーム部分（１１２）に固定するための第２ポケット（１００）に少なくとも部分的に受け入れ可能であり、
ここで第１ポケット（９２）は、カバー（１２）の足部分（６０）に面する第１開口（９６）を形成し、ここで第１の移動可能なフレーム部分（１０８）は、上記第１開口に挿入可能であり、
ここで第２ポケット（１００）は、カバー（１２）の頭部分（５６）に面する第２開口（１０４）を形成し、ここで第２の移動可能なフレーム部分（１１２）は、第２開口（１０４）へ挿入可能であり、
さらに、第１及び第２の移動可能なフレーム部分（１１２，１０８）の一つに対応する部分の挿入を容易にするため、第１及び第２のポケット（９２，１００）の一つに連結され第１及び第２のポケットの一つを選択的に開く閉包機構（１１６）を備える、
マットレスカバー組立体。
【請求項２】
ここで上記閉包機構は、第１及び第２の移動可能なフレーム部分（１１２，１０８）の一つが第１及び第２のポケット（９２，１００）の一つに緩く保持される開構成と、第１及び第２の移動可能なフレーム部分の一つが第１及び第２のポケットの一つにしっかり保持される閉構成との間で操作可能である、請求項１に記載のマットレスカバー組立体。
【請求項３】
閉包機構は、第１ポケットに連結される、請求項１又は２に記載のマットレスカバー組立体。
【請求項４】
閉包機構（１１６）は、ジッパーである、請求項１から３のいずれか一つに記載のマットレスカバー組立体。
【請求項５】
頭部分（５６）と足部分（６０）との間の位置でカバー（１２）に連結されたストラップ（１２０）をさらに備え、ここでストラップは、移動可能なフレーム部分にカバーを固定するため、移動可能なフレーム部分の周りに延在可能である、請求項１から４のいずれか一つに記載のマットレスカバー組立体。
【請求項６】
カバーは、カバー（１２）の頭部分（５６）と足部分（６０）とを相互に接続する対向した第１及び第２の側面を含み、ここでストラップ（１２０）は、第１側面（８０）に近接する位置でカバーに取り付けられる第１セグメント（１２４）、及び、第２側面（８４）に近接する位置でカバーに取り付けられる第２セグメント（１２８）を含む、請求項５に記載のマットレスカバー組立体。
【請求項７】
ストラップは、第１及び第２のセグメント（１２４，１２８）を相互に接続する閉包機構（１４０）をさらに含み、ここで第１及び第２のセグメントは、第１及び第２のセグメントが閉包機構（１４０）によって相互に接続された状態にて互いに重なるそれぞれの遠位端（１３２，１３６）を含む、請求項６に記載のマットレスカバー組立体。
【請求項８】
閉包機構（１４０）は、面ファスナ材料を含む、請求項７に記載のマットレスカバー組立体。
【請求項９】
カバーは、カバー（１２）の頭部分（５６）及び足部分（６０）の一つに近接しマットレス（４）が挿入可能である開口（７２）を含む、請求項１から８のいずれか一つに記載のマットレスカバー組立体。
【請求項１０】
カバーは、カバーの頭部分（５６）及び足部分（６０）の一つに連結され開口（７２）を閉じる閉包機構（７６）を含む、請求項９に記載のマットレスカバー組立体。
【請求項１１】
開口（７２）は、カバーの頭部分（５６）に近接する、請求項９又は１０に記載のマットレスカバー組立体。
【請求項１２】
カバーに取り付けられアイテムを保管するための第３ポケット（８９）をさらに備える、請求項１から１１のいずれか一つに記載のマットレスカバー組立体。
【請求項１３】
カバーは、カバーの頭部分と足部分とを相互に接続する対向した第１及び第２の側面を含み、ここで第３ポケットは、第１及び第２の側面（８０，８４）の一つに取り付けられる、請求項１２に記載のマットレスカバー組立体。
【請求項１４】
調節可能な基礎部にマットレスを組み立てる方法であって、調節可能な基礎部は第１及び第２の移動可能なフレーム部分（１１２，１０８）を含み、上記方法は、
マットレス（４）の頭部（６４）に一致する頭部分（５６）、及びマットレスの足部（６８）に一致する足部分（６０）を含むカバー（１２）を設けること；
カバー（１２）内に少なくとも部分的にマットレスを封入すること；
カバー（１２）の頭部分（５６）を移動可能なフレーム部分に固定するため、カバーの頭部分に位置するポケット（９２）に第１の移動可能なフレーム部分（１０８）を挿入し、カバー（１２）の足部分（６４）を第２の移動可能なフレーム部分（１１２）に固定するため、カバーの足部分に位置する第２ポケット（１００）に第２の移動可能なフレーム部分（１１２）を挿入すること；
第１ポケット（９２）に閉包機構を設けること；及び、
第１ポケットへ第１の移動可能なフレーム部分（１０８）を挿入する前に閉包機構（１１６）によって第１ポケットを開くこと、
を備える方法。
【請求項１５】
さらに、第１の移動可能なフレーム部分（１０８）へカバー（１２）の頭部分（５６）を固定するため、第１ポケットへ第１の移動可能なフレーム部分（１０８）を挿入した後に閉包機構によって第１ポケット（９２）を閉じることを備える、請求項１４に記載の方法。
【請求項１６】
第１ポケットへの第１の移動可能なフレーム部分の挿入前に、第２ポケットへの第２の移動可能なフレーム部分の挿入を行う、請求項１１から１５のいずれか一つに記載の方法。
【請求項１７】
さらに、頭部分と足部分との間の位置でカバーに連結するストラップ（１２０）を設けること；及び、
移動可能なフレーム部分にカバーを固定するために移動可能なフレーム部分の周りにストラップ（１２０）を延在すること、を備える、請求項１１から１６のいずれか一つに記載の方法。
【国際調査報告】
2015532849.tif 000006
2015532849.tif 000007
2015532849.tif 000008